(57)【要約】      （修正有）【課題】火力発電所の施工エリアの防疫検出用出入り管理装置を提供する。【解決手段】出入り管理装置は、中央制御装置、開閉ドア、ハウジング１、並びにそれぞれハウジングに設置される第１検出エリア３、第２検出エリア４及び警報アセンブリを備え、第１検出エリアは中央制御装置により互いに接続される第１体温検出器３１、カメラ３２及び第１ディスプレイ３３を備え、第２検出エリアは中央制御装置により互いに接続されるカード読み取りエリア４２、第２体温検出器４１及び第２ディスプレイ４３を備え、警報アセンブリはそれぞれ中央制御装置に接続されるパイロットランプ２及び拡声器６を備え、開閉ドアはハウジングの側面に設置され、且つ中央制御装置に接続され、人の出入りを制御することに用いられる。【選択図】図１
0003235424.tif 000002
【実用新案登録請求の範囲】
【請求項１】
火力発電所の施工エリアの防疫検出用出入り管理装置であって、
中央制御装置、開閉ドア、ハウジング（１）、並びにそれぞれハウジング（１）に設置される第１検出エリア（３）、第２検出エリア（４）及び警報アセンブリを備え、前記第１検出エリア（３）は中央制御装置により互いに接続される第１体温検出器（３１）、カメラ（３２）及び第１ディスプレイ（３３）を備え、前記第２検出エリア（４）は中央制御装置により互いに接続されるカード読み取りエリア（４２）、第２体温検出器（４１）及び第２ディスプレイ（４３）を備え、前記警報アセンブリはそれぞれ中央制御装置に接続されるパイロットランプ（２）及び拡声器（６）を備え、前記開閉ドアはハウジング（１）の側面に設置され、且つ中央制御装置に接続され、人の出入りを制御することに用いられることを特徴とする火力発電所の施工エリアの防疫検出用出入り管理装置。
【請求項２】
前記ハウジング（１）は互いに協働して閉じられたハウジングを形成するサイドバッフル、フロントバッフル、斜面パネル、トップパネル、リアバッフル及びボトムパネルを備え、前記フロントバッフル、斜面パネル、トップパネル、リアバッフル及びボトムパネルは端と端が順に接続されることを特徴とする請求項１に記載の火力発電所の施工エリアの防疫検出用出入り管理装置。
【請求項３】
前記第１検出エリア（３）は更に取付板及び回転軸（３４）を備え、前記取付板の片側は回転軸（３４）によって斜面パネルとトップパネルとの境界に取り付けられ、前記取付板は回転軸（３４）に沿って回転することができ、前記第１体温検出器（３１）及びカメラ（３２）はそれぞれ取付板に取り付けられ、前記第１ディスプレイ（３３）は斜面パネルに取り付けられることを特徴とする請求項２に記載の火力発電所の施工エリアの防疫検出用出入り管理装置。
【請求項４】
前記斜面パネルのフロントバッフル寄り側に取付溝が開設され、前記カード読み取りエリア（４２）、第２体温検出器（４１）及び第２ディスプレイ（４３）はそれぞれ取付溝内に設置されることを特徴とする請求項２に記載の火力発電所の施工エリアの防疫検出用出入り管理装置。
【請求項５】
前記取付溝は楔形溝であり、１つの矩形溝底、２つの楔形側壁及び１つの矩形側壁を備え、前記第２体温検出器（４１）及びカード読み取りエリア（４２）は矩形溝底に設置され、前記第２ディスプレイ（４３）は矩形側壁に設置されることを特徴とする請求項４に記載の火力発電所の施工エリアの防疫検出用出入り管理装置。
【請求項６】
前記カード読み取りエリア（４２）は矩形溝底の矩形側壁寄り側に設置され、前記第２体温検出器（４１）は矩形溝底の矩形側壁から離れる側に設置されることを特徴とする請求項５に記載の火力発電所の施工エリアの防疫検出用出入り管理装置。
【請求項７】
第２体温検出器（４１）により測定された体温を表示するための前記第２ディスプレイ（４３）は４桁８セグメントＬＥＤニキシー管であり、カメラ（３２）により撮影された画像及び第１体温検出器（３１）により測定された体温を表示するための前記第１ディスプレイ（３３）はＬＣＤディスプレイ又はＯＬＥＤディスプレイであることを特徴とする請求項１に記載の火力発電所の施工エリアの防疫検出用出入り管理装置。
【請求項８】
前記第１体温検出器（３１）及び第２体温検出器（４１）はそれぞれ赤外線体温検出器であることを特徴とする請求項１に記載の火力発電所の施工エリアの防疫検出用出入り管理装置。
【請求項９】
前記パイロットランプ（２）はトップパネルに設置され、前記拡声器（６）はそれぞれサイドパネル及びフロントバッフルに設置されることを特徴とする請求項２に記載の火力発電所の施工エリアの防疫検出用出入り管理装置。
【請求項１０】
該装置は、フロントバッフルに開設される放熱孔（５）と、サイドパネルに設置されるキャビネットドア（７）とを更に備え、前記中央制御装置はキャビネットドア（７）内に設置され、その型番がＬＰＣ１１Ｃ１４であることを特徴とする請求項１に記載の火力発電所の施工エリアの防疫検出用出入り管理装置。
【考案の詳細な説明】
【技術分野】
【０００１】
本考案は防疫出入り管理検出に関し、特に火力発電所の施工エリアの防疫検出用出入り管理装置に関する。
【背景技術】
【０００２】
疫病を予防制御する重要な時期では、内部に対して拡散を予防し、外部に対して輸入を予防することは疫病を予防制御する重要な任務である。火力発電所の施工エリア等の人混みの公共の場所では、従来の人による近距離検出及び発熱スクリーニングは人々が列に並んで集まる等の状況を引き起こす可能性があり、疫病が伝染するリスクが高くなりやすく、また、大量の疫病データ情報に対して、どのように効率的に収集、総括及びスクリーニングするかも、疫病を予防制御することに直面する挑戦である。
【０００３】
現段階では、入口で体温検出ガンを手持ちして従業員に対して体温の検出を行うしかできず、且つ具体的な体温データ及び対応の人員情報は更に手動で記録される必要があり、このため、人員の莫大な仕事量をもたらし、しかも全体の生産効率を大幅に遅らせてしまう。出入り管理システムは、機能が単一であり、柔軟性に欠け、スマート度がまだ高くなく、生産をある程度混乱させてしまう。
【０００４】
火力発電所の施工エリアは重要なエリアであり、防疫への要件が極めて高く、防疫に抜け穴があれば、事故が発生しやすいとともに、人の生活にも深刻な影響を与えてしまい、このため、火力発電所における出入者の認証及び体温の検出への要件がより高く、従来の一定の防疫のための体温検出機能を持ついくつかの出入り管理システムは直接に火力発電所の施工エリアの防疫検出に適用できず、従って、複数の機能を持つ出入り管理システムをどのように設計するか、及び火力発電所の施工エリアの人員の認証及び防疫の要件を満足するとともに、流動人員に対して疫病のモニタリングを行うこと、疫病情勢に対する検討判断をサポート・サービスすること、疫病の予防制御を計画することは切迫している。
【考案の概要】
【考案が解決しようとする課題】
【０００５】
本考案の目的は、上記従来技術の欠陥を克服して、安全且つ確実で複数の機能を持つ火力発電所の施工エリアの防疫検出用出入り管理装置を提供することにある。
【課題を解決するための手段】
【０００６】
本考案の目的は下記技術案により実現できる。
【０００７】
火力発電所の施工エリアの防疫検出用出入り管理装置であって、中央制御装置、開閉ドア、ハウジング、並びにそれぞれハウジングに設置される第１検出エリア、第２検出エリア及び警報アセンブリを備え、前記第１検出エリアは中央制御装置により互いに接続される第１体温検出器、カメラ及び第１ディスプレイを備え、前記第２検出エリアは中央制御装置により互いに接続されるカード読み取りエリア、第２体温検出器及び第２ディスプレイを備え、前記警報アセンブリはそれぞれ中央制御装置に接続されるパイロットランプ及び拡声器を備え、前記開閉ドアはハウジングの側面に設置され、且つ中央制御装置に接続され、人の出入りを制御することに用いられる。
【０００８】
更に、前記ハウジングは互いに協働して係合されて閉じられたハウジングを形成するサイドバッフル、フロントバッフル、斜面パネル、トップパネル、リアバッフル及びボトムパネルを備え、前記フロントバッフル、斜面パネル、トップパネル、リアバッフル及びボトムパネルは端と端が順に接続される。
【０００９】
より更には、前記第１検出エリアは更に取付板及び回転軸を備え、前記取付板の片側は回転軸によって斜面パネルとトップパネルとの境界に取り付けられ、前記取付板は回転軸に沿って回転することができ、前記第１体温検出器及びカメラはそれぞれ取付板に取り付けられ、前記第１ディスプレイは斜面パネルに取り付けられる。
【００１０】
より更には、前記斜面パネルのフロントバッフル寄り側に取付溝が開設され、前記カード読み取りエリア、第２体温検出器及び第２ディスプレイはそれぞれ取付溝内に設置される。
【００１１】
より更には、好ましくは、前記取付溝は楔形溝であり、１つの矩形溝底、２つの楔形側壁及び１つの矩形側壁を備え、前記第２体温検出器及びカード読み取りエリアは矩形溝底に設置され、前記第２ディスプレイは矩形側壁に設置される。
【００１２】
前記カード読み取りエリアは矩形溝底の矩形側壁寄り側に設置され、前記第２体温検出器は矩形溝底の矩形側壁から離れる側に設置され、出入者はカード読み取りを行うとき、その手首がちょうど第２体温検出器の上方に位置する。
【００１３】
好ましくは、第２体温検出器により測定された体温を表示するための前記第２ディスプレイは４桁８セグメントＬＥＤニキシー管であり、カメラにより撮影された画像及び第１体温検出器により測定された体温を表示するための前記第１ディスプレイはＬＣＤディスプレイ又はＯＬＥＤディスプレイである。
【００１４】
好ましくは、前記第１体温検出器及び第２体温検出器はそれぞれ赤外線体温検出器である。
【００１５】
好ましくは、前記パイロットランプはトップパネルに設置され、前記拡声器はそれぞれサイドパネル及びフロントバッフルに設置される。
【００１６】
更に、該装置は、フロントバッフルに開設される放熱孔と、サイドパネルに設置されるキャビネットドアとを更に備え、前記中央制御装置はキャビネットドア内に設置され、その型番がＬＰＣ１１Ｃ１４である。
【考案の効果】
【００１７】
従来技術に比べて、本考案は、以下の利点を有する。
１）本考案の出入り管理装置には、それぞれ顔認識及びカード読み取りによる認識に使用される第１検出エリア及び第２検出エリアが設置され、且つ２つの検出エリアにはいずれもそれぞれ人体の頭部及び手首部の体温を検出する体温検出器が設置され、体温検出の精度を向上させ、且つ出入者を認証する精度を確保し、火力発電所の施工エリアの安全を確保する。
２）本考案の第２体温検出器は矩形溝底の矩形側壁から離れる側に設置され、出入者がカード読み取りを行うとき、その手首がちょうど第２体温検出器の上方に位置し、カード読み取りを行うと同時に手首温度の検出を完了し、検出効率を向上させる。
３）本考案の第１体温検出器及びカメラはそれぞれ取付板に取り付けられ、出入者が顔認証による認証を行うと同時に、頭部温度の検出を完了し、検出効率を向上させるとともに、取付板が回転軸に沿って回転することができ、取付板を動かして回転させることにより異なる身長の人に適用することができ、適応性が高い。
４）本考案において、第２体温検出器により測定された体温を表示するための第２ディスプレイは４桁８セグメントＬＥＤニキシー管であり、カメラにより撮影された画像及び第１体温検出器により測定された体温を表示するための前記第１ディスプレイはＬＣＤディスプレイ又はＯＬＥＤディスプレイであり、体温を個別に表示することにより、明確であり、且つ異なるニーズに応じて異なるディスプレイを選択することにより、コストを削減する。
５）本考案において、警報アセンブリを設置することにより、異常を検出した場合に音光警報を直ちに行って、防護するように管理者及び現場の人々に知らせることができ、防疫の安全性を向上させる。
【図面の簡単な説明】
【００１８】
【図１】本考案の構造模式図である。
【図２】検出エリアの拡大図である。
【考案を実施するための形態】
【００１９】
以下、図面を参照しながら具体的な実施例によって本考案を詳しく説明する。
【００２０】
（実施例）
図１に示すように、本考案は火力発電所の施工エリアの防疫検出用出入り管理装置を提供し、中央制御装置、開閉ドア、フロントバッフルに開設される放熱孔５、サイドパネルに設置されるキャビネットドア７、ハウジング１、並びにそれぞれハウジング１に設置される第１検出エリア３、第２検出エリア４及び警報アセンブリを備え、開閉ドアはハウジング１の側面に設置され、且つ中央制御装置に接続され、人の出入りを制御することに用いられる。
【００２１】
ハウジング１は互いに協働して係合されて閉じられたハウジングを形成するサイドバッフル、フロントバッフル、斜面パネル、トップパネル、リアバッフル及びボトムパネルを備え、フロントバッフル、斜面パネル、トップパネル、リアバッフル及びボトムパネルは端と端が順に接続される。警報アセンブリはそれぞれ中央制御装置に接続されるパイロットランプ２及び拡声器６を備え、パイロットランプ２はトップパネルに設置され、拡声器６はそれぞれサイドパネル及びフロントバッフルに設置され、中央制御装置はキャビネットドア７内に設置され、その型番がＬＰＣ１１Ｃ１４である。
【００２２】
図２に示すように、第１検出エリア３は取付板、回転軸３４、並びに中央制御装置により互いに接続される第１体温検出器３１、カメラ３２及び第１ディスプレイ３３を備え、取付板の片側は回転軸３４によって斜面パネルとトップパネルとの境界に取り付けられ、取付板は回転軸３４に沿って回転することができ、第１体温検出器３１及びカメラ３２はそれぞれ取付板に取り付けられ、第１ディスプレイ３３は斜面パネルに取り付けられる。
【００２３】
斜面パネルのフロントバッフル寄り側に楔形取付溝が開設され、該楔形取付溝は１つの矩形溝底、２つの楔形側壁及び１つの矩形側壁を備え、第２検出エリア４は取付溝内に設置され、中央制御装置により互いに接続されるカード読み取りエリア４２、第２体温検出器４１及び第２ディスプレイ４３を備え、第２体温検出器４１は矩形溝底の矩形側壁から離れる側に設置され、カード読み取りエリア４２は矩形溝底の矩形側壁寄り側に設置され、第２ディスプレイ４３は矩形側壁に設置される。
【００２４】
第２体温検出器４１により測定された体温を表示するための第２ディスプレイ４３は４桁８セグメントＬＥＤニキシー管であり、カメラ３２により撮影された画像及び第１体温検出器３１により測定された体温を表示するための第１ディスプレイ３３はＬＣＤディスプレイ又はＯＬＥＤディスプレイである。第１体温検出器３１及び第２体温検出器４１はそれぞれ赤外線体温検出器である。
【００２５】
第１検出エリア３は顔認証による認証及び頭部体温の検出に使用され、第２検出エリア４はカード読み取りによる認証及び手首体温の検出に使用され、出入者はカード読み取りエリア４２でカード読み取りを行った後、中央制御装置は第２体温検出器４１を起動して体温測定を行って、第２ディスプレイ４３により手首体温を表示するように制御するとともに、カメラ３２は顔を自動的にキャプチャして顔認識を行い、第１体温検出器３１は人体の頭部体温を検出し、第１ディスプレイ３３はカメラにより撮影された画像及び測定された体温を同時に表示し、体温が異常である場合、顔認証による認証に失敗し、又はカード読み取りによる認証に失敗し、そうすると、拡声器６及びパイロットランプ２がオンにされて警報を行う。手首体温、カード読み取りによる認証、頭部体温及び顔認証による認証にすべて合格した場合のみ、中央制御装置は開閉ドアを制御して開け、人の出入りが可能となる。
【００２６】
以上の説明は本考案の具体的な実施形態であって、本考案の保護範囲を制限するためのものではない。当業者は本考案に開示される技術的範囲内で種々の等価修正や置換を容易に想到することができ、これらの修正や置換はいずれも本考案の保護範囲内に含まれるべきである。従って、本考案の保護範囲は特許請求の範囲に準じるべきである。
【符号の説明】
【００２７】
１        ハウジング
２        パイロットランプ
３        第１検出エリア
３１      第１体温検出器
３２      カメラ
３３      第１ディスプレイ
３４      回転軸
４        第２検出エリア
４１      第２体温検出器
４２      カード読み取りエリア
４３      第２ディスプレイ
５        放熱孔
６        拡声器
７        キャビネットドア
【図１】
0003235424.tif 000003
【図２】
0003235424.tif 000004